(57)【要約】  本発明の目的は、振子と接触したレバーが初期位置に誤復帰しないエレベータ装置を提供することにある。本発明は、エレベータ装置の昇降路内を昇降する昇降体(300)に連結された調速用ロープ(1)と、調速用ロープ(1)が巻き掛けられた綱車(4)と、綱車(4)の回転速度に応じて遠心力により円周外に向って拡がる振子(5)と、振子(5)と接触して回転するレバー(6)と、レバー(6)の回転中心となる軸(8)と、を備え、振子(5)と接触して回転した際のレバー(6)の回転角度を制限するストッパー(10)を設けるとともに、レバー(6)及び軸(8)の間に、レバー(6)の軸(8)を中心とした一方向への回転を許容し、逆方向への回転を阻止するワンウェイクラッチ(9)を組み込んだ。
2016056111.tif 000002
【特許請求の範囲】
【請求項１】
エレベータ装置の昇降路内を昇降する昇降体に連結された調速用ロープと、前記調速用ロープが巻き掛けられた綱車と、前記綱車の回転速度に応じて遠心力により円周外に向って拡がる振子と、前記振子と接触して回転するレバーと、前記レバーの回転中心となる軸と、を備えた調速機において、
前記振子と接触して回転した際の前記レバーの回転角度を制限するストッパーを設けるとともに、前記レバー及び前記軸の間に、前記レバーの前記軸を中心とした一方向への回転を許容し、逆方向への回転を阻止するワンウェイクラッチを組み込んだことを特徴とする調速機。
【請求項２】
請求項１に記載の調速機において、前記軸の全体又は一部の形状は軸を中心に回転させると同一形状となる多角形をなし、調速機本体を形成するフレームに前記軸の多角形に対応する穴を備え、多角形状をなした前記軸を前記穴に挿入して固定することで前記軸の回転を固定することを特徴とする調速機。
【請求項３】
昇降路内を昇降する昇降体と、前記昇降体を駆動する駆動装置と、前記昇降体の過速度を検知する調速機とを備えたエレベータ装置において、
前記調速機は、昇降体に連結された調速用ロープと、前記調速用ロープが巻き掛けられた綱車と、前記綱車の回転速度に応じて遠心力により円周外に向って拡がる振子と、前記振子と接触して回転するレバーと、前記レバーの回転中心となる軸と、前記振子と接触して回転した際の前記レバーの回転角度を制限するストッパーと、を備え、
前記レバー及び前記軸の間には、前記レバーの前記軸を中心とした一方向への回転を許容し、逆方向への回転を阻止するワンウェイクラッチが組み込まれたことを特徴とするエレベータ装置。
【発明の詳細な説明】
【技術分野】
【０００１】
本発明は、エレベータ装置、特にエレベータ装置の過速度を検知する調速機に関する。
【背景技術】
【０００２】
エレベータ装置には、一般に、かごの昇降速度を常時監視し、かごが所定の過速状態に陥った際にかごを非常停止させる調速機が備えられている。具体的には、調速機は、かごの昇降速度が定格速度を超えて第１過速度（通常は定格速度の１．３倍）に達すると、かごを駆動する巻上機の電源及びこの巻上機を制御する制御装置の電源をそれぞれ遮断する。また、調速機は、何らかの原因によりかごの下降速度が第１過速度を超えて第２過速度（通常は定格速度の１．４倍）に達すると、かごに設けられた非常止め装置を動作させて、かごを機械的に非常停止させる。【０００３】
エレベータの調速機には、乗りかごに連結される調速機ロープが巻掛けられる綱車と、この綱車の回転速度に応じて遠心力により円周外に向って拡がる振子と、この振子が係合可能で、かつ安全スイッチに係合し、軸を中心に回転するレバーを有する機構が提案されている（例えば特許文献１を参照）。
【先行技術文献】
【特許文献】
【０００４】
【特許文献１】特開平２−１５８５８２号公報
【発明の概要】
【発明が解決しようとする課題】
【０００５】
近年、エレベータ装置はどんどん高速化する傾向にあり、高速化が進んでくると特許文献１のように振子、レバー、安全スイッチによる機構により乗かごの停止信号を出力する調速機において、振子が衝突したレバーが勢いよく回転して一周し、元の位置に誤復帰するなどの問題が考えられる。【０００６】
スイッチが誤復帰してしまった場合、過速状態時に遮断される巻上機の電源及びこの巻上機を制御する制御装置の電源が再び投入されてしまう等の問題が発生する。【０００７】
本発明は前記課題に鑑みなされたものであり、その目的は、振子と接触したレバーが初期位置に誤復帰しないエレベータ装置を提供することにある。
【課題を解決するための手段】
【０００８】
本発明の調速機は、エレベータ装置の昇降路内を昇降する昇降体に連結された調速用ロープと、前記調速用ロープが巻き掛けられた綱車と、前記綱車の回転速度に応じて遠心力により円周外に向って拡がる振子と、前記振子と接触して回転するレバーと、前記レバーの回転中心となる軸と、を備えた調速機において、前記振子と接触して回転した際の前記レバーの回転角度を制限するストッパーを設けるとともに、前記レバー及び前記軸の間に、前記レバーの前記軸を中心とした一方向への回転を許容し、逆方向への回転を阻止するワンウェイクラッチを組み込んだことを特徴とする。【０００９】
また本発明のエレベータ装置は、昇降路内を昇降する昇降体と、前記昇降体を駆動する駆動装置と、前記昇降体の過速度を検知する調速機とを備えたエレベータ装置において、前記調速機は、昇降体に連結された調速用ロープと、前記調速用ロープが巻き掛けられた綱車と、前記綱車の回転速度に応じて遠心力により円周外に向って拡がる振子と、前記振子と接触して回転するレバーと、前記レバーの回転中心となる軸と、前記振子と接触して回転した際の前記レバーの回転角度を制限するストッパーと、を備え、前記レバー及び前記軸の間には、前記レバーの前記軸を中心とした一方向への回転を許容し、逆方向への回転を阻止するワンウェイクラッチが組み込まれたことを特徴とする。
【発明の効果】
【００１０】
本発明によれば、振子と接触したレバーが初期位置に誤復帰することを防止することができる。
【図面の簡単な説明】
【００１１】
【図１】本発明の一実施形態に係るエレベータ装置の概略側面図である。
【図２】本発明の一実施形態に係る調速機の正面図である。
【図３】本発明の一実施形態に係る調速機の側面図である。
【図４】本発明の一実施形態に係る調速機のレバー、軸、及びフレームの詳細構成を示す斜視図である。
【図５】本発明が適用されていない調速機の誤復帰の概要を説明するための正面図である。
【図６】本発明が適用された場合の調速機の動作概要を説明するための正面図である。
【発明を実施するための形態】
【００１２】
以下、本発明に係るエレベータ装置の実施例を図に基づき説明する。
【実施例１】
【００１３】
先ず、本発明が適用されるエレベータ装置の概略構成を図１に基づき説明する。  
一般に、エレベータ装置は、建築物１０００に設けられた昇降路２００内を昇降する昇降体である乗かご３００と、一方で乗かご３００を吊り、他方で昇降体である釣合いおもり４００を吊る主ロープ５００と、この主ロープ５００を巻掛ける機械室１００に備えられたトラクションシーブ６００と、このトラクションシーブ６００を駆動し、制動装置を備えた駆動装置（図示省略）と、乗かご３００の昇降を案内するガイドレール７００と、乗かご３００に設けられ非常時に楔によってガイドレール７００を把持する非常止め装置８００と、この非常止め装置８００を駆動し、乗かご３００側に軸支された作動レバー９００と、この作動レバー９００に連結され、昇降路２００内の乗かご昇降行程全域に亘って張られた無端状の調速用ロープ１と、この調速用ロープ１を巻掛けた綱車４を有する調速機とを備えている。なお、本発明が適用されるエレベータ装置は、図１に示す構成に限定されるものではなく、例えば昇降路に調速機を設置する形態であっても良い。【００１４】
次に、本実施例のエレベータ装置における調速機について説明する。本実施例における調速機は、図２に、図３に示すように、無端状をなし昇降路に配置されて昇降体に連結された調速用ロープ１と、調速用ロープ１が巻き掛けられた綱車４と、綱車４と同期して回転し、綱車の回転速度に応じて遠心力により円周外に向って拡がる振子５と、振子５の上部に設置され、振子５の回転半径が拡がることによって接触（衝突）して回転するレバー６と、レバー６の回転により接触が経たれることによって安全スイッチを動作させる接点７と、レバー６の回転中心となる軸８と、レバー６に組み込まれ、レバー６の回転方向を制限するワンウェイクラッチ９と、振子と係合することにより回転するレバー６の回転角度を制限するストッパー１０と、軸８が固定されているフレーム１１を備えている。ワンウェイクラッチ９はレバー６の軸８を中心とした一方向、本形態では時計回りへの回転を許容し、逆方向への回転を阻止する物である。なお、レバー６の位置は振子の上部に限ったものではない。【００１５】
また、図４に示すように、軸８には正六角形状部があり、同様に正六角形状の穴が開いたフレーム１１に正六角形部を挿入することにより、軸８は回転方向に対し固定されている。また、軸８は多角形部の先のねじ部にてフレーム１１にナットで固定することにより、軸方向に対し固定されている。【００１６】
なお、軸８及びフレーム１１の形状は、軸８の回転により別角度で穴に固定できる形状であれば、正六角形に限られたものではない。【００１７】
ここでレバー６内にワンウェイクラッチ９が組み込まれていない場合のレバー６の挙動を図５に示す。なお図５においては本実施形態と同じ構成要素に対応するものには符号に１００を加えることで表示し、詳細な説明は省略する。図５に示すように、ワンウェイクラッチ９がレバー１０６内に組み込まれていないので、レバー１０６が振子１０５の衝突により回転し（図５（ａ））、ストッパー１１０に接触（衝突）した際、レバー１０６は回転方向を制限されていないため、ストッパー１１０で跳ね返って（図５（ｂ））初期位置に誤復帰してしまう（図５（ｃ））可能性がある。【００１８】
即ち図５に示した形態では、高速化が進んでいるエレベータ装置に対応すべく、振子１０５が衝突したレバー１０６が勢いよく回転して軸１０８を中心に一周し、元の位置に誤復帰することを防止するために、レバー１０６の回転範囲を制限するストッパー１１０をレバー１０６の回転軌道上に設けている。しかし近年のエレベータ装置の昇降速度はますます高速化する傾向にあり、それに伴い振子１０５の回転速度も高速化しているため、振子１０５がレバー１０６に衝突する力が大きくなり、その結果レバー１０６の回転速度も大きくなっている。従ってこのようなストッパー１１０を設けた場合、今度はストッパー１１０でレバー１０６が跳ね返ってレバー１０６が元の位置に誤復帰してしまう現象が実験等でも確認されている。【００１９】
また、レバー６内にワンウェイクラッチが組み込まれている場合のレバー６の挙動を図６に基づき説明する。一方図６に示すようにワンウェイクラッチ９がレバー６内に組み込まれている場合、レバー６が振子５の衝突により回転し（図６（ａ））、ストッパー１０に接触した際、ワンウェイクラッチ９によって振子５の衝突によって回転するレバー６の回転方向が制限されている（図６（ｂ））ため、レバー６のストッパー１０との衝突による誤復帰を防止することができる。【００２０】
意図的にレバー６を初期位置に復帰したい場合、図４に示す軸の構造を利用する。図４に示すように、軸８は正六角形部をフレーム１１の正六角形状の穴に挿入して固定するが、軸８を一度フレーム１１から外して回転させることにより、別角度でフレーム１１に固定させられるようになっている。この構造により、レバー６を初期位置以上に戻した位置にて軸８を固定してからレバー６を回転させることにより、レバー６を初期位置に復帰することができる。【００２１】
検出速度調整時のように、何度も初期位置に復帰し動作確認する必要がある場合、軸８のねじ部をナットにて軸方向に固定しない状態で動作確認を行うものとする。軸８はフレーム１１の六角形の穴にて軸の回転方向への回転を制限されているため、動作確認時のレバーへの振子の接触では軸は回転せず、レバー６が誤復帰しない状態で動作確認することができる。レバーを復帰する場合は前述の手段を実施するが、軸８はフレーム１１に軸方向に対して固定されていないため、簡易的に初期位置に復帰することができる。これにより、検出速度調整等にかかる時間が肥大することなく、動作確認を実施することが出来る。【００２２】
動作確認完了後はねじ部をナットで締め上げて軸をフレームに固定することにより、製品搬送時などの振動によって軸８がフレーム１１より抜けることを防止することが出来る。【００２３】
このように本実施形態では、レバー６内にワンウェイクラッチ９を組み込むことにより、レバー６の回転方向を制限している。また、レバー６を初期位置に戻す際は軸を簡易的に回転・固定させられる構造としている。このような構成によって、エレベータ装置の昇降体の過速度検知後に動作したレバー６が元の位置に誤復帰することを防止でき、エレベータ装置の信頼性を高めることができる。また、簡易的にレバー６を初期位置に戻すことができる軸構造のため、検出速度調整時のように何度も初期位置に復帰し動作確認する必要がある場合においても、作業時間の肥大を抑えることができる。
【符号の説明】
【００２４】
１  調速用ロープ
４  綱車
５  振子
６  レバー
７  接点
８  軸
９  ワンウェイクラッチ
１０  ストッパー
１１  フレーム
１００  機械室
２００  昇降路
３００  昇降体
４００  釣合いおもり
５００  主ロープ
６００  トラクションシーブ
７００  ガイドレール
８００  非常止め装置
９００  作動レバー
１０００  建築物
【図１】
2016056111.tif 000003
【図２】
2016056111.tif 000004
【図３】
2016056111.tif 000005
【図４】
2016056111.tif 000006
【図５】
2016056111.tif 000007
【図６】
2016056111.tif 000008
【国際調査報告】
2016056111.tif 000009
2016056111.tif 000010
2016056111.tif 000011
2016056111.tif 000012